(57)【要約】【課題】咬合器における支持部材中の凹所とその凹所に嵌入される支持軸の先端部との間の不要な隙間を補完する。【解決手段】咬合器（10）は、下顎弓（104）に固定された支持枠（110）に回動可能に取り付けられる支持部材（120）と、支持部材と一体的に形成されまたは支持部材に固定された上顎弓（106）と、支持枠のそれぞれ左側および右側にある２つの開口を貫通して支持部材を支持枠に回動可能に連結し各支持軸の先端部が支持部材の各端部の凹所に嵌合するよう構成された２つの支持軸（70）と、各支持軸の先端部が嵌合する支持部材の各端部の凹所において、各支持軸の先端部の周面に接触可能な先端部を有する調整部材（140）と含む。【選択図】図２
2014212879.tif 000002
【特許請求の範囲】
【請求項１】
下顎弓と、
前記下顎弓に固定された支持枠と、
前記支持枠に回動可能に取り付けられる支持部材と、
前記支持部材と一体的に形成されまたは前記支持部材に固定された上顎弓と、
前記支持枠のそれぞれ左側および右側にある２つの開口を貫通して前記支持部材を前記支持枠に回動可能に連結する２つの支持軸であって、前記２つの支持軸の各支持軸の先端部が前記支持部材の各端部の凹所に嵌合するよう構成された２つの支持軸と、
前記各支持軸の先端部が嵌合する前記支持部材の各端部の凹所において、前記各支持軸の先端部の周面に接触可能な先端部を有する調整部材と、
を含む、咬合器。
【請求項２】
前記調整部材は、前記支持軸の先端部の側部周面に接触または押圧可能な先端面を有する押圧ネジを含んで成ることを特徴とする、請求項１に記載の咬合器。
【請求項３】
前記調整部材は、前記支持軸の軸方向の両端部のうちの少なくとも一端部に押え板を含んで成り、前記押え板は、前記支持軸が貫通する前記支持枠の左側または右側のジョイント部に当接可能または接触可能な形態で前記支持部材に固定可能なものであることを特徴とする、請求項１または２に記載の咬合器。
【発明の詳細な説明】
【技術分野】
【０００１】
本発明は、咬合器に関する。
【背景技術】
【０００２】
咬合器は上顎と下顎の三次元的な寸法形状および動きを再現する器具である。咬合器は、それに咬合床または歯牙模型が取り付けられて、上下顎の位置と下顎運動を再現し、歯科の診断または治療に利用される。咬合器に取り付けられた咬合床上で、例えば仮義歯床が作製される。例えば、樹脂製（レジン）の義歯床を作製するために、先ず、患者の口腔内形状を表す石膏模型およびその上に取り付けた蝋（パラフィン等のワックス）製の咬合床を咬合器に配置し、咬合床に合わせて蝋に人工歯（義歯）を配列し、仮義歯床が作製され、その仮床試適が行われる。
【０００３】
既知の咬合器は、支持部材に対して摺動自在に支持されている上顎基底板取付枠、その取付枠に装着された上顎基底板、支持枠に対して摺動自在に支持されている下顎基底板取付枠、取付枠に装着された下顎基底板、および支持枠に対して支持部材を回動可能に連結する支持軸を含んでいる。
【先行技術文献】
【特許文献】
【０００４】
【特許文献１】実公平０６−３６８１２号公報
【発明の開示】
【０００５】
例えば平均値型および簡易型のような基本的に調整不要な種類の既知の咬合器が存在する。そのような咬合器は、長期間の使用による摩耗または損耗によって、支持枠のジョイント部に固定される左右の支持軸の円筒状の先端部と、支持部材の左右の端部中の円筒状の嵌合凹所との間、または支持枠のジョイント部と支持部材の左右の端部との間に、不要な隙間またはクリアランスが生じることがある。また、長期間の使用による摩耗または損耗によって、それらの隙間またはクリアランスが徐々に拡大する。それによって、支持軸と支持部材の間に緩みが生じて、支持部材が支持軸に対して安定的に回転せず振れを生じることがある。それによって、作成される義歯床の寸法形状の精度が低くなることがある。
【０００６】
発明者は、咬合器の支持枠のジョイント部において、支持軸の円筒状先端部と支持部材中の円筒状の嵌合凹所との間、および／または支持枠のジョイント部と支持部材の左右の端部との間の不要な隙間を、補完しまたは補償することの必要性を認識した。また、発明者は、その補完または補償によって、固定された支持軸を軸としてその周りに支持部材がその嵌合凹所で正確に安定的に回動できるようにすることができる、と認識した。
【０００７】
本発明の目的は、咬合器の支持枠のジョイント部と支持部材との間に生じ得る不要な隙間を補完または補償することができる咬合器を提供することである。
本発明の別の目的は、支持部材中の凹所とその凹所に嵌入される支持軸の先端部との間に生じ得る不要な隙間を補完または補償することができる咬合器を提供することである。
本発明のさらに別の目的は、支持部材中の凹所がその凹所に嵌入される支持軸の先端部の周りに安定的に回動できる咬合器を提供することである。
【０００８】
発明の概要
本発明の一観点によれば、咬合器は、下顎弓と、前記下顎弓に固定された支持枠と、前記支持枠に回動可能に取り付けられる支持部材と、前記支持部材と一体的に形成されまたは前記支持部材に固定された上顎弓と、前記支持枠のそれぞれ左側および右側にある２つの開口を貫通して前記支持部材を前記支持枠に回動可能に連結する２つの支持軸であって、前記２つの支持軸の各支持軸の先端部が前記支持部材の各端部の凹所に嵌合するよう構成された２つの支持軸と、前記各支持軸の先端部が嵌合する前記支持部材の各端部の凹所において、前記各支持軸の先端部の周面に接触可能な先端部を有する調整部材と、を含んでいる。
【０００９】
実施形態において、前記調整部材は、前記支持軸の先端部の側部周面に接触または押圧可能な先端面を有する押圧ネジを含んでいてもよい。また、前記咬合器は平均値型または簡易型であってもよい。
【００１０】
実施形態において、前記調整部材は、前記支持軸の軸方向の両端部のうちの少なくとも一端部に押え板を含んでいてもよく、前記押え板は、前記支持軸が貫通する前記支持枠の左側または右側のジョイント部に当接可能または接触可能な形態で前記支持部材に固定可能であってもよい。
【００１１】
実施形態の一観点によれば、咬合器において、支持枠のジョイント部と支持部材との間に生じ得る不要な隙間を補完または補償することができ、また、支持部材中の嵌合凹所がその凹所に嵌入される支持軸の先端部の周りに正確に安定して回動できる。
【図面の簡単な説明】
【００１２】
【図１Ａ】図１Ａ〜１Ｄは、実施形態による例示的な咬合器の概略的な構成を示している。
【図１Ｂ】（図1Aで説明）
【図１Ｃ】（図1Aで説明）
【図１Ｄ】（図1Aで説明）
【図２】図２は、支持枠における支持軸と、支持部材における隙間調整部材の例示的な分解斜視図である。
【図３】図３Ａは、支持部材の一端部の部分断面図である。図３Ｂは、図３Ａの支持部材における隙間調整部材の分解図である。
【図４】図４Ａおよび４Ｂは、隙間調整部材によって、支持軸の円筒状先端部の側面に、支持軸の円筒状先端部の先端面を接触させることによってその両者間の緩みまたは隙間が無くなることを説明するための図である。
【図５】図５Ａは、別の実施形態による支持部材の一端部の部分断面図である。図５Ｂは、図５Ａの支持部材における隙間調整部材の分解図である。図５Ｃは、押え板の変形である押え板の平面図である。
【図６】図６Ａおよび６Ｂは、隙間調整部材によって、支持枠のジョイント部の内側の面に、押え板の外側の端面を対して当接して押圧させることによってその両者の間の緩みを無くしまたは隙間を埋めることを説明するための図である。
【発明を実施するための形態】
【００１３】
本発明の非限定的な実施形態を、図面を参照して説明する。図面において、同様の構成要素には同じ参照番号が付されている。
【００１４】
図１Ａ〜１Ｄは、実施形態による例示的な咬合器１０の概略的な構成を示している。図１Ａは、咬合器１０の左側面図である。図１Ｂは、咬合器１０の背面図である。図１Ｃは、咬合器１０の上面図である。図１Ｄは、咬合器１０の正面図である。
【００１５】
実施形態の咬合器１０は、例えば、平均値型または簡易型のものであってもよい。但し、咬合器１０の一部の特徴は、これに限定されることなく、他の型の咬合器にも適用可能である。咬合器１０の部材および要素の全てまたは少なくとも一部は、例えばステンレス鋼のような金属で形成されてもよい。
【００１６】
咬合器１０は、下顎弓１０４と、下顎弓１０４にその後部の位置で固定された支持枠１１０、支持枠１１０にその上側の左右端部のジョイント部１１１で回転可能に取り付けられる支持部材１２０と、支持部材１２０にその前側で固定されまたは支持部材１２０と一体的に形成された上顎弓１０６とを含んでいる。下顎弓１０４は補綴物作製用の下顎の歯形を支持することができる。上顎弓１０６は補綴物作製用の上顎の歯形を支持することができる。下顎弓１０４は下顎基底板取付枠であってもよい。上顎弓１０６は上顎基底板取付枠であってもよい。切歯ピン１３８の上側の基部は、上顎弓１０６の前端部に位置調整可能な形態で固定される。切歯ピン１３８の下側の先端部は、下顎弓１０４の前端部の切歯（インサイザル）テーブル１５０に、離接可能な形態または滑動可能な形態で接触する。ここで、咬合器１０における上下、左右、前後のような相対的な位置関係は、対応する人体を基準としている。
【００１７】
上顎弓１０６の底面の概して中央に、マウンティング・プレート（または下顎基底板）１１６が、ネジ等の締め付け手段によって固定的に取り付けられている。下顎弓１０４の上面の概して中央に、ジータ・プレート（または上顎基底板）１１４が、ネジ等の締め付け手段によって固定的に取り付けられている。支持部材１２０は、左右の幅（Ｙ）方向に伸びる回転軸を有し、顆頭球または疑似関節としての支持軸（留めネジ、シャフト）７０によって、支持枠１１０の上側の左右端部のジョイント部１１１に対して回転可能に連結される。そのジョイント部１１１は、雌ネジ部を有する開口部１１２を有する。支持軸７０は、図１Ａに破線で示されているような上顎弓１０６と下顎弓１０４の間の開閉運動の回転軸となる。支持枠１１０において支持軸７０の留めネジを回転させて締めまたは緩めることによって、支持部材１２０と支持枠１１０とを互いに連結させまたは分離することができる。従って、支持部材１２０に固定された上顎弓１０６は、支持軸７０を回転軸として支持枠１１０に対して回転可能である。
【００１８】
説明のために、支持枠１１０における支持軸７０の水平面上の前方向をＸ軸、左側の支持軸７０においてＸ軸に直交する水平面上の外方向をＹ軸とし、左側の支持軸７０においてＸ−Ｙ平面に直交する垂直方向をＺ軸と仮定してもよい。
【００１９】
支持部材１２０は、隙間調整部材１４０を含んでいる。隙間調整部材１４０は、支持部材１２０のジョイント部１１１の凹所１１２とその凹所１１２に嵌入される支持軸７０の円筒状先端部７８との間のＸ方向の緩み幅または不要な隙間を無くしまたは補完し若しくは埋めて補償するためのものである。
【００２０】
図２は、支持枠１１０における支持軸７０と、支持部材１２０における隙間調整部材１４０の例示的な分解斜視図である。
【００２１】
図３Ａは、支持部材１２０の一端部の部分断面図である。図３Ｂは、図３Ａの支持部材１２０における隙間調整部材１４０の分解図である。
【００２２】
支持軸７０は、ローレット型ネジであってもよく、皿型頭部７４、ネジ部７６および円筒状先端部７８を有する。支持軸７０は、その雄ネジ部７６が、支持軸７０を固定するためのローレット型ナット８０の雌ネジ部に螺合し、ナット８０を貫通して、支持枠１１０のジョイント部１１１の雌ネジ型の開口１１２に貫通状態で固定または螺着される。支持部材１２０は左右端部に凹所１２４を有し、凹所１２４は、支持部材１２０の左右（±Ｙ方向）の端面に開口部を有し、背面側（−Ｘ方向）の開口部１２６と連通している。支持軸７０の円筒状先端部７８は、左右端部の凹所１２４内の円筒状の嵌合凹所１２５に接触状態で滑動的または摺動的に回転または回動可能に嵌入される。
【００２３】
隙間調整部材１４０は、支持部材１２０の左右（±Ｙ方向）両端部の例えば背面側（−Ｘ方向）に取り付けられてもよい。隙間調整部材１４０は押え板１４２を含んで成り、押え板１４２は、その六角孔付きのローレット型の固定ネジ１４８を固定用の雌ネジ部１２８に螺着することによって、支持部材１２０に固定される。隙間調整部材１４０は六角孔付きのローレット型の押圧ネジ１４４を含み、押圧ネジ１４４は、固定用ナット１４６の雌ネジ部と押え板１４２の雌ネジ部とを貫通して、支持部材１２０の雌ネジ型の開口部１２６に嵌入される。押圧ネジ１４４は、支持部材１２０の凹所１２４内の嵌合凹所１２５中に挿入される。押圧ネジ１４４の先端部の先端面は、ユーザによって前進方向に回転されて、支持軸７０の円筒状先端部７８の側面の周面に押圧されて接触する。それによって、支持部材１２０は、その凹所１２４内の嵌合凹所１２５の内周面（軸受面）が支持軸７０の円筒状先端部７８の側面の周面に緩みなく充分に接触した状態で、支持軸７０の円筒状先端部７８を回転軸としてその周りに滑動的または摺動的に回転可能になる。
【００２４】
支持枠１１０の中央の上端部に挿入ロッド９４がその基端部で軸支またはヒンジ結合されている。挿入ロッド９４は、その先端部から押圧バネ９５中に挿入されて、挿入ロッド９４の先端部側が押圧バネ９５と共に支持部材１２０の嵌合開口１３２に挿入される。従って、挿入ロッド９４は、上顎弓１０６が下顎弓１０４に対して開閉されると、上顎弓１０６と共に下顎弓１０４に対して開閉または往復回転運動する。
【００２５】
図４Ａおよび４Ｂは、隙間調整部材１４０によって、支持軸７０の円筒状先端部７８の側面に、支持軸７０の円筒状先端部７８の先端面を接触させることによってその両者間の緩みまたは隙間が無くなることを説明するための図である。
【００２６】
図４Ａを参照すると、咬合器１０が使用される度にユーザによって支持部材１２０が支持軸７０に対して回転させられると、長期間の使用によって、支持部材１２０の凹所１２４において、その嵌合凹所１２５の内側の周面と、支持軸７０の円筒状先端部７８の外側の周面とが、互いに接触し徐々に摩耗または損耗し、両者の間にＸおよびＺ方向の不要な隙間が形成され徐々に拡大する。それによって、図４Ａに示されているように、支持部材１２０は、例えば双頭の矢印で示されているように、支持枠１１０とそのジョイント部１１１に対してＸ方向およびＺ方向に緩みまたは隙間を生じて振れやすくなり、その回転軸が安定しなくなる。
【００２７】
これに対して、図４Ｂを参照すると、隙間調整部材１４０の押圧ネジ１４４を、開口部１２６を通して嵌合凹所１２５内に矢印方向に侵入させ、支持軸７０の円筒状先端部７８の側部周面に対して、回転して接触または押圧させる。それによって、嵌合凹所１２５の空間における−Ｘ方向の不要な隙間が押圧ネジ１４４の先端部によって無くなりまたは埋められて、補完または補償される。それによって、嵌合凹所１２５は円筒状でその断面は円形なので、支持軸７０の円筒状先端部７８に対する嵌合凹所１２５のＺ方向の緩みも無くなる。それによって、支持部材１２０は、支持枠１１０とそのジョイント部１１１に対してＸ方向およびＺ方向の緩みまたは隙間が無くなりまたは埋められて補完または補償され、その回転軸が安定するようになる。それによって、咬合器１０は通常よりも長い期間にわたって使用可能になる。
【００２８】
図５Ａは、別の実施形態による支持部材１２０の一端部の部分断面図である。図５Ｂは、図５Ａの支持部材１２０における隙間調整部材１４０の分解図である。図５Ｃは、押え板１４２の変形である押え板１４３の平面図である。
【００２９】
図５Ａおよび５Ｂにおいて、隙間調整部材１４０における押え板１４３は、２つの開口について、図３Ａおよび３Ｂの押え板１４２と異なる形状を有する。図３Ａおよび３Ｂでは、押え板１４２は、固定ネジ１４８および押圧ネジ１４４用の２つの円筒状の開口または雌ネジを有する。一方、図５Ａ〜５Ｃにおいて、押え板１４３は、固定ネジ１４８および押圧ネジ１４４用の、それぞれ底面が角丸長方形の柱状または四角柱状の２つの開口１４３２、１４３４を有する。開口１４３２、１４３４の形状は、これに限定されることなく、Ｚ方向の幅に比べてＹ方向の幅が大きい他の形状であってよい。即ち、開口１４３２、１４３４は、それぞれ固定ネジ１４８および押圧ネジ１４４の各ネジ部が貫通するものであり、支持軸７０の軸方向に垂直なＺ方向の幅よりも支持軸７０の軸Ｙ方向に実質的に大きい幅を有する。図５Ａおよび５Ｂの隙間調整部材１４０のその他の構成は、図３Ａおよび３Ｂと同様である。
【００３０】
図６Ａおよび６Ｂは、隙間調整部材１４０によって、支持枠１１０のジョイント部１１１の内側の面１１３に、押え板１４３の外側の端面１４３６を対して当接して押圧させることによってその両者の間の緩みを無くしまたは隙間を埋めることを説明するための図である。この場合、さらに、図４Ａおよび４Ｂで説明したのと同様に、支持軸７０の円筒状先端部７８の側面に、支持軸７０の円筒状先端部７８の先端面を接触させることによってその両者間の緩みまたは隙間が無くなる。
【００３１】
図６Ａを参照すると、咬合器１０が使用される度にユーザによって支持部材１２０が支持枠１１０とそのジョイント部１１１に対して回転させられると、長期間の使用によって、支持部材１２０の左右端部の端面１２２と支持枠１１０の内側の面１１３とが、互いに接触し徐々に摩耗または損耗し、両者の間にＹ方向の不要な隙間Ｇが形成され徐々に拡大する。それによって、図６Ａに示されているように、支持部材１２０は、支持枠１１０とそのジョイント部１１１に対してＹ方向に緩みまたは隙間Ｇを生じ、支持枠１１０とそのジョイント部１１１に対するＹ方向の位置が安定しなくなる。
【００３２】
これに対して、図６Ｂを参照すると、図４Ｂのように固定ネジ１４８および押圧ネジ１４４を支持部材１２０に固定する際に、押え板１４３の開口１４３２、１４３４の形状がＹ方向に長く余裕空間または公隙が存在するので、押え板１４３の外側の端面１４３６を横矢印方向に支持枠１１０のジョイント部１１１の内側の面１１３に当接して押圧するように位置調整され、主として固定ネジ１４８によって、さらに押圧ネジ１４４によっても、押え板１４３が支持部材１２０に締め付けられ固定される。それによって、支持部材１２０の左右端部の端面１２２とジョイント部１１１の内側の面１１３との間のＹ方向の不要な隙間Ｇが押え板１４３の左右外側の端部１４３６によって埋められて、補完または補償される。また、それによって、支持部材１２０のジョイント部１１１に対するＹ方向に緩みも無くなる。それによって、支持部材１２０は、支持枠１１０とそのジョイント部１１１に対して安定するようになる。それによって、咬合器１０は通常よりも長い期間にわたって使用可能になる。
【００３３】
支持軸７０の円筒状先端部７８を支持部材１２０の嵌合凹所１２５のＹ軸方向の内側（左側）の内面に押圧することによって、支持部材１２０の支持枠１１０とそのジョイント部１１１に対するＹ方向の位置を或る程度安定させるができるであろう。しかし、緩みまたは隙間Ｇを補償しない限り、支持軸７０が、支持軸７０の円筒状先端部７８付近を中心として、例えば図６Ａの双頭の弧状矢印方向に不安定に振れる可能性がある。また、その押圧力が強いと、円筒状先端部７８と嵌合凹所１２５の内側内面の間との間の強い摩擦力によって、支持部材１２０が支持軸７０に対して円滑に回転しにくくなる。
【００３４】
なお、押え板１４３は支持部材１２０の左側または右側の一方だけに用いられてもよく、その他方の右側または左側には押え板１４２が用いられてもよい。また、図５Ａ〜５Ｃの隙間調整部材１４０は、図３Ａおよび３Ｂの隙間調整部材１４０とは別に設けられてもよい。この場合、図５Ａ〜５Ｃまたは図３Ａおよび３Ｂの一方の隙間調整部材１４０は、支持部材１２０の両端部のうちの少なくとも一端部の頂面、前面または底面に設けられてもよい。
【００３５】
以上説明した実施形態は典型例として挙げたに過ぎず、その各実施形態の構成要素を組み合わせること、その変形及びバリエーションは当業者にとって明らかであり、当業者であれば本発明の原理及び請求の範囲に記載した発明の範囲を逸脱することなく上述の実施形態の種々の変形を行えることは明らかである。
【符号の説明】
【００３６】
１０  咬合器
７０  支持軸
８０  固定用のローレット型ナット
９４  挿入ロッド
９５  押圧バネ
１０４  下顎弓
１０６  上顎弓
１１０  支持枠
１１１  ジョイント部
１１２  開口
１１４  ジータ・プレート
１１６  マウンティング・プレート
１２０  支持部材
１２４  凹所
１２５  円筒状の嵌合凹所
１２６  雌ネジ型の開口部
１２８  固定用の雌ネジ部
１３０  固定用の段付きローレット・ネジ
１３２  嵌合開口
１３８  切歯（インサイザル）ピン（指導針）
１４０  隙間調整部材
１４２、１４３  押え板
１４４  押圧ネジ
１４６  固定用ナット
１４８  固定ネジ
１５０  切歯（インサイザル）テーブルまたは台座
【図１Ａ】
2014212879.tif 000003
【図１Ｂ】
2014212879.tif 000004
【図１Ｃ】
2014212879.tif 000005
【図１Ｄ】
2014212879.tif 000006
【図２】
2014212879.tif 000007
【図３】
2014212879.tif 000008
【図４】
2014212879.tif 000009
【図５】
2014212879.tif 000010
【図６】
2014212879.tif 000011